(57)【要約】      （修正有）【課題】サージ電流がコイル電極に流れることを根本的に防止して、信頼性が保障されたコモンモードフィルタを提供する。【解決手段】ＥＳＤによるサージ電流からコモンモードフィルタを保護するために、コイル電極１１０，１２０、前記コイル電極の両端とそれぞれ連結された第１外部電極１４０及び第２外部電極、及び接地電極１６０を含む本体１００と、内部にスイッチング部材２１０が備えられ、前記本体の何れか一面に備えられたＥＳＤ保護層２００と、を含み、前記コイル電極の一端は前記第２外部電極と連結され、前記コイル電極の他端は前記スイッチング部材を介して前記第１外部電極と連結されており、サージ電流の印加時、前記スイッチング部材は、スイッチング動作に応じて前記コイル電極との連結が断たれ、前記接地電極と連結される、コモンモードフィルタ。【選択図】図５
2014116584.tif 000002
【特許請求の範囲】
【請求項１】
コイル電極、前記コイル電極の両端とそれぞれ連結された第１及び第２外部電極、及び接地電極を含む本体と、
内部にスイッチング部材が備えられ、前記本体の何れか一面に備えられたＥＳＤ保護層と、を含み
前記コイル電極の一端は前記第２外部電極と連結され、前記コイル電極の他端は前記スイッチング部材を介して前記第１外部電極と連結されており、サージ電流の印加時、前記スイッチング部材は、スイッチング動作に応じて前記コイル電極との連結が断たれ、前記接地電極と連結される、コモンモードフィルタ。
【請求項２】
前記ＥＳＤ保護層は、前記スイッチング部材の周囲に磁場を形成する永久磁性体を含む、請求項１に記載のコモンモードフィルタ。
【請求項３】
前記永久磁性体は前記スイッチング部材と平行に配置される、請求項２に記載のコモンモードフィルタ。
【請求項４】
前記スイッチング部材は、前記ＥＳＤ保護層の内部の空き空間に突出形成された支持部上に固定されて設けられる、請求項1から３のいずれか１項に記載のコモンモードフィルタ。
【請求項５】
前記支持部は前記スイッチング部材の両端にそれぞれ備えられており、前記スイッチング部材はその両端が前記それぞれの支持部上に固定されて設けられる、請求項４に記載のコモンモードフィルタ。
【請求項６】
前記スイッチング部材は、
サージ電流の印加時に曲がりが発生する導体磁性膜と、
前記導体磁性膜の両端を繋ぐ信号ラインと、
前記導体磁性膜と信号ラインをくるむポリマー弾性体と、を含む、請求項１から５のいずれか１項に記載のコモンモードフィルタ。
【請求項７】
前記スイッチング部材は、前記ポリマー弾性体の上側及び下側に形成され、前記ポリマー弾性体を貫通して前記信号ラインと連結される突出端子をさらに含む、請求項６に記載のコモンモードフィルタ。
【請求項８】
コイル電極、前記コイル電極の両端とそれぞれ連結された第１及び第２外部電極、及び接地電極を含む本体と、
内部にスイッチング部材が備えられ、前記本体の何れか一面に備えられたＥＳＤ保護層と、を含み、
前記第１外部電極は前記第１外部電極から延長形成された第１リード線を介して前記スイッチング部材と連結され、前記コイル電極の一端はビアを介して前記第２外部電極と連結され、前記コイル電極の他端はその他端から延長形成された第２リード線を介して前記スイッチング部材と連結されており、
サージ電流の印加時、前記スイッチング部材は、スイッチング動作に応じて前記第２リード線との連結が断たれ、前記接地電極から延長形成された第３リード線を介して前記接地電極と連結される、コモンモードフィルタ。
【請求項９】
前記ＥＳＤ保護層は、前記スイッチング部材の周囲に磁場を形成する永久磁性体を含む、請求項８に記載のコモンモードフィルタ。
【請求項１０】
前記永久磁性体は前記スイッチング部材と平行に配置される、請求項９に記載のコモンモードフィルタ。
【請求項１１】
前記第１〜第３リード線は前記ＥＳＤ保護層の内壁に埋め込まれている、請求項８から１０のいずれか１項に記載のコモンモードフィルタ。
【請求項１２】
前記スイッチング部材は、前記ＥＳＤ保護層の内部の空き空間に突出形成された支持部上に固定されて設けられる、請求項８から１１のいずれか１項に記載のコモンモードフィルタ。
【請求項１３】
前記支持部は前記スイッチング部材の両端にそれぞれ備えられており、前記スイッチング部材はその両端が前記それぞれの支持部上に固定されて設けられる、請求項１２に記載のコモンモードフィルタ。
【請求項１４】
前記第１リード線の端部は、前記スイッチング部材の両端を固定する支持部のうち何れか一つに埋め込まれて前記スイッチング部材と連結される、請求項１３に記載のコモンモードフィルタ。
【請求項１５】
前記スイッチング部材は、
サージ電流の印加時に曲がりが発生する導体磁性膜と、
前記導体磁性膜の両端を繋ぐ信号ラインと、
前記導体磁性膜と信号ラインをくるむポリマー弾性体と、を含む、請求項８から１４のいずれか１項に記載のコモンモードフィルタ。
【請求項１６】
前記スイッチング部材は、前記ポリマー弾性体の上側及び下側に形成され、前記ポリマー弾性体を貫通して前記信号ラインと連結される突出端子をさらに含む、請求項１５に記載のコモンモードフィルタ。
【請求項１７】
前記第１リード線の端部は前記信号ラインと連結される、請求項１５または１６に記載のコモンモードフィルタ。
【請求項１８】
前記第２リード線の端部は前記ＥＳＤ保護層の内部の空き空間に突出されて形成された端子で構成される、請求項８から１７のいずれか１項に記載のコモンモードフィルタ。
【請求項１９】
前記第３リード線の端部は前記ＥＳＤ保護層の内部の空き空間に突出されて形成された端子で構成される、請求項８から１８のいずれか１項に記載のコモンモードフィルタ。
【請求項２０】
前記本体は、前記コイル電極を埋め込む絶縁層と、前記絶縁層上に形成された前記第１、２外部電極と接地電極、及び前記第１、２外部電極と前記接地電極との間に形成された磁性複合体と、を含む、請求項８から１９のいずれか１項に記載のコモンモードフィルタ。
【請求項２１】
前記本体及び前記ＥＳＤ保護層は、前記本体、前記ＥＳＤ保護層の順に、または、前記ＥＳＤ保護層、前記本体の順に、磁性体基板の上部に配置される、請求項８から２０のいずれか１項に記載のコモンモードフィルタ。
【発明の詳細な説明】
【技術分野】
【０００１】
本発明は、コモンモードフィルタに関し、より詳細には、ＥＳＤ保護機能が備えられたコモンモードフィルタに関する。
【背景技術】
【０００２】
技術の発展により、携帯電話、家電製品、ＰＣ、ＰＤＡ、ＬＣＤなどの電子機器がアナログ方式からデジタル方式に変化されており、処理するデータ量の増加によって高速化されている傾向にある。これにより、高速信号送信インターフェースとしてＵＳＢ２．０、ＵＳＢ３．０及び高解像度マルチメディアインターフェース（ｈｉｇｈ―ｄｅｆｉｎｉｔｉｏｎ  ｍｕｌｔｉｍｅｄｉａ  ｉｎｔｅｒｆａｃｅ；ＨＤＭＩ（登録商標））が広範囲に普及されており、個人用コンピュータ及び高画質のデジタルテレビなどの多くのデジタルデバイスに用いられている。
【０００３】
これらインターフェースは、これまで一般的に用いられていたシングルエンド（ｓｉｎｇｌｅ―ｅｎｄ）送信システムと異なって、一対の信号ラインを用いて差動信号（差動モード信号）を送信する差動信号システムを採用する。しかし、デジタル化及び高速化された電子機器は外部からの刺激に敏感である。即ち、外部から小さい異常電圧及び高周波ノイズが電子機器の内部回路に流入される場合、回路の破損や信号の歪曲が発生する。
【０００４】
この際、電子機器の回路破損、信号歪曲を発生させる異常電圧及びノイズの原因としては、落雷、人体に帯電された静電気放電、回路内で発生するスイッチング電圧、電源電圧に含まれた電源ノイズ、不要な電磁気信号または電磁気ノイズなどが挙げられる。このような電子機器の回路破損や信号歪曲の発生を防止するために、フィルタを設けて異常電圧及び高周波ノイズが回路に流入されることを防止する。
【０００５】
通常、高速の差動信号ラインなどには、コモンモードノイズ（Ｃｏｍｍｏｎ  ｍｏｄｅ  ｎｏｉｓｅ）を除去するためにコモンモードフィルタ（Ｃｏｍｍｏｎ  Ｍｏｄｅ  Ｆｉｌｔｅｒ）が用いられている。コモンモードノイズは差動信号ラインで発生するノイズであり、コモンモードフィルタは既存のＥＭＩフィルタでは除去できないノイズを除去する。コモンモードフィルタは、家電機器などのＥＭＣ特性及び携帯電話などのアンテナ特性を向上させる。
【０００６】
しかし、最近の高速デジタルインターフェースでは、そのインターフェースが高速送信される微細信号を扱うため、互いに異なる素子間の連結及び分離時に発生する静電気放電（Ｅｌｅｃｔｒｏ  Ｓｔａｔｉｃ  Ｄｉｓｃｈａｒｇｅ：以下、「ＥＳＤ」）に対して非常に敏感なＩＣを用いなければならない。
【０００７】
ＥＳＤによるＩＣの破損を防止するために、信号ラインとベースとの間にＥＳＤ対策デバイスとしてバリスタ（ｖａｒｉｓｔｏｒ）が用いられる。しかし、バリスタが用いられる場合、信号波形が非活性化され、信号品質が劣化される。従って、より低容量のＥＳＤ対策デバイスが要求されている。
【０００８】
例えば、韓国公開特許第１０‐２０１０‐００３７０００号公報は、外部電極と連結されるリード線がＥＳＤ除去用接地電極（以下、接地電極）と非常に小さい間隔を置いて離隔された構造を有する。通常、この間隔は誘電体で構成されているが、誘電体層の誘電率及び厚さによってピーク電圧が変わる。
【０００９】
これを利用して、ＥＳＤがない正常作動状態では上記の間隔によって接地電極とリード線との間の抵抗が無限大の大きさを有して、互いに電流が導通されず、ノイズフィルタリング機能をする。これと異なって、ＥＳＤが発生してサージ電流が流れる場合、ＥＳＤは電子トンネリング現象を起こして接地電極とリード線との間の伝導性を変化させる。従って、コイル電極に比べ電流の流れの経路が相対的に短い接地電極にＥＳＤが流れ、ＥＳＤからコイル電極を保護することになる。
【００１０】
しかし、このような構造は、サージ電流の大きさによってＥＳＤ保護機能を担当する誘電体層自体が破壊される恐れがある。また、サージ電流が接地電極に通り抜ける場合であるとしても、電流の移動経路において共有される部分が存在するため、誤作動が発生する可能性が常に内在されていて、サージ電流がコイル電極に流れる恐れがある。これは結局、製品の信頼性を低下させる問題を起こす。
【先行技術文献】
【特許文献】
【００１１】
【特許文献１】韓国公開特許第１０‐２０１０‐００３７０００号公報
【発明の概要】
【発明が解決しようとする課題】
【００１２】
本発明は、サージ電流が流れる時に内部連結構造を変化させることにより、サージ電流がコイル電極に流れることを根本的に防止して、信頼性が保障されたコモンモードフィルタを提供することを目的とする。
【課題を解決するための手段】
【００１３】
上記の目的を果たすためになされた本発明によると、コイル電極、前記コイル電極の両端とそれぞれ連結された第１及び第２外部電極、及び接地電極を含む本体と、内部にスイッチング部材が備えられ、前記本体の何れか一面に備えられたＥＳＤ保護層と、を含み、前記コイル電極の一端は前記第２外部電極と連結され、前記コイル電極の他端は前記スイッチング部材を介して前記第１外部電極と連結されており、サージ電流の印加時、前記スイッチング部材は、スイッチング動作に応じて前記コイル電極との連結が断たれ、前記接地電極と連結される、コモンモードフィルタが提供される。
【００１４】
上記の目的を果たすためになされた本発明の他の側面によると、コイル電極、前記コイル電極の両端とそれぞれ連結された第１及び第２外部電極、及び接地電極を含む本体と、内部にスイッチング部材が備えられ、前記本体の何れか一面に備えられたＥＳＤ保護層と、を含み、前記第１外部電極は前記第１外部電極から延長形成された第１リード線を介して前記スイッチング部材の一端と連結され、前記コイル電極の一端はビアを介して前記第２外部電極と連結され、前記コイル電極の他端はその他端から延長形成された第２リード線を介して前記スイッチング部材と連結されており、サージ電流の印加時、前記スイッチング部材は、スイッチング動作に応じて前記第２リード線との連結が断たれ、前記接地電極から延長形成された第３リード線を介して前記接地電極と連結される、コモンモードフィルタが提供される。
【００１５】
また、前記ＥＳＤ保護層は、前記スイッチング部材の周囲に磁場を形成する永久磁性体を含む、コモンモードフィルタが提供される。
【００１６】
また、前記永久磁性体は前記スイッチング部材と平行に配置される、コモンモードフィルタが提供される。
【００１７】
また、第１〜第３リード線は前記ＥＳＤ保護層の内壁に埋め込まれている、コモンモードフィルタが提供される。
【００１８】
また、前記スイッチング部材は、その両端が前記ＥＳＤ保護層の内部の空き空間に突出形成された支持部上に固定されて設けられる、コモンモードフィルタが提供される。
【００１９】
また、前記第１リード線の端部は、前記スイッチング部材の両端を固定する支持部のうち何れか一つに埋め込まれて前記スイッチング部材と連結される、コモンモードフィルタが提供される。
【００２０】
また、前記スイッチング部材は、サージ電流の印加時に曲がりが発生する導体磁性膜と、前記導体磁性膜の両端を繋ぐ信号ラインと、前記導体磁性膜と信号ラインをくるむポリマー弾性体と、前記ポリマー弾性体の上側及び下側に形成され、前記ポリマー弾性体を貫通して前記信号ラインと連結される突出端子と、で構成される、コモンモードフィルタが提供される。
【００２１】
また、前記第１リード線の端部は前記信号ラインと連結される、コモンモードフィルタが提供される。
【００２２】
また、前記第２リード線の端部は前記ＥＳＤ保護層の内部の空き空間に突出されて形成された端子で構成され、前記突出端子が前記第２リード線の端部と接触する、コモンモードフィルタが提供される。
【００２３】
また、前記第３リード線の端部は前記ＥＳＤ保護層の内部の空き空間に突出されて形成された端子で構成され、サージ電流の印加時、前記突出端子が前記第３リード線の端部と接触する、コモンモードフィルタが提供される。
【００２４】
また、前記本体は、前記コイル電極を埋め込む絶縁層と、前記絶縁層上に形成された前記第１、２外部電極と接地電極、及び前記第１、２外部電極と接地電極との間に形成された磁性複合体と、で構成される、コモンモードフィルタが提供される。
【００２５】
また、磁性体基板を下部に配置して前記本体及び前記ＥＳＤ保護層が備えられた、コモンモードフィルタが提供される。磁性体基板を下部に配置し、前記本体及び前記ＥＳＤ保護層、または前記ＥＳＤ保護層及び前記本体が前記磁性体基板の上部に順に備えられる。
【発明の効果】
【００２６】
本発明のコモンモードフィルタによると、従来のように誘電体の電子トンネリング現象を用いず、サージ電流の印加時、電磁気力を用いてフィルタの内部連結構造を変化させることにより、サージ電流がコイル電極に流れることを構造的に遮断することができ、これによって、製品の信頼性を向上させることができる。
【図面の簡単な説明】
【００２７】
【図１】本発明によるコモンモードフィルタの斜視図である。
【図２】図１のＩ‐Ｉ´線の断面図である。
【図３】図１のII‐II´線の断面図である。
【図４】図１のIII‐III´線の断面図である。
【図５】図２を基準として図３及び図４を投影した断面図である。
【図６】サージ電流の印加時、本発明に含まれたスイッチング部材の動作状態を説明するための図面である。
【図７】本発明に含まれたスイッチング部材の断面図である。
【図８】本発明に含まれたスイッチング部材の横断面図である。
【発明を実施するための形態】
【００２８】
本発明の利点及び特徴、そしてそれらを果たす方法は、添付図面とともに詳細に後述される実施形態を参照すると明確になるであろう。しかし、本発明は以下で開示される実施形態に限定されず、相異なる多様な形態で具現されることができる。本実施形態は、本発明の開示が完全になるようにするとともに、本発明が属する技術分野において通常の知識を有する者に発明の範疇を完全に伝達するために提供されることができる。明細書全体において、同一参照符号は同一構成要素を示す。
【００２９】
本明細書で用いられる用語は、実施形態を説明するためのものであり、本発明を限定しようとするものではない。本明細書で、単数型は文句で特別に言及しない限り複数型も含む。明細書で用いられる「含む（ｃｏｍｐｒｉｓｅ）」及び／または「含んでいる（ｃｏｍｐｒｉｓｉｎｇ）」は言及された構成要素、段階、動作及び／または素子は一つ以上の他の構成要素、段階、動作及び／または素子の存在または追加を排除しない。
【００３０】
図１は本発明によるコモンモードフィルタの斜視図であり、図２は図１のＩ‐Ｉ´線の断面図であり、図３は図１のII‐II´線の断面図であり、図４は図１のIII‐III´線の断面図であり、図５は図２を基準として図３及び図４を投影した断面図である。さらに、図面の構成要素は必ずしも縮尺に従って図示されたものではなく、例えば、本発明の理解を容易にするために、図面の一部構成要素のサイズは他の構成要素に比べ誇張されることがある。一方、各図面に表示された同一の参照符号は同一の構成要素を指称し、図示の簡略化及び明瞭化のために、図面は一般的な構成方式を図示して、本発明において説明された実施例の論議を不要に不明瞭にすることを避けるために、公知された特徴及び技術についての詳細な説明は省略する。
【００３１】
図１から図５を参照すると、本発明によるコモンモードフィルタは、コイル電極１１０、１２０、第１及び第２外部電極１４０、１５０、及び接地電極１６０を含む本体１００と、前記本体１００の何れか一面に備えられたＥＳＤ保護層２００と、を基本構造として有する。これに、前記コイル電極１１０、１２０で発生する磁束の流れを円滑にするために、磁性体基板３００を下部に配置することができる。前記ＥＳＤ保護層２００は、前記本体１００の上面または下面に備えられることができ、図１から図５では一例として、前記本体１００の下面に位置したコモンモードフィルタを例示している。
【００３２】
前記本体１００の構造についてより詳細に説明すると、前記本体１００は、前記コイル電極１１０、１２０を埋め込む絶縁層１３０と、前記絶縁層１３０上に形成された前記第１、２外部電極１４０、１５０と、接地電極１６０と、前記第１、２外部電極１４０、１５０と接地電極１６０との間に形成された磁性複合体１７０と、で構成されることができる。
【００３３】
ここで、前記コイル電極１１０、１２０は、上部コイル電極１１０と下部コイル電極１２０が一定間隔を置いて離隔され、電磁気的結合を成す一対で構成されることができる。これにより、本発明のコモンモードフィルタは、前記下部コイル電極１２０の両端と電気的に接続する第１及び第２外部電極１４０、１５０、前記上部コイル電極１１０の両端と電気的に接続する第１及び第２外部電極など、総四つの入出力端子で構成されることができる。但し、説明の便宜上、以下で説明するコイル電極という用語は下部コイル電極１２０を称するものと定義し、その説明も下部コイル電極１２０を基準として前記第１及び第２外部電極１４０、１５０、接地電極１６０、及びＥＳＤ保護層２００との連結構造を記述していることを予め明らかにしておく。但し、以下の技術内容は前記上部コイル電極１１０にも同様に適用されることができる。
【００３４】
前記コイル電極１２０は、同一平面上に螺旋状にめっきされるため、前記絶縁層１３０において前記コイル電極１２０の内部中心に該当する位置に空洞部が形成されることができる。本発明のコモンモードフィルタは、インピーダンス特性をより向上させるために、前記空洞部内に前記磁性複合体１７０が充填された構造を有することができる。
【００３５】
前記ＥＳＤ保護層２００の内部にはスイッチング部材２１０が備えられており、前記コイル電極１２０の一端は前記第２外部電極１５０と連結され、他端は前記スイッチング部材２１０を介して前記第１外部電極１４０と連結されることができる。
【００３６】
図面を参照してこの構造についてより具体的に説明すると、前記第１外部電極１４０は、前記第１外部電極１４０から延長形成された第１リード線１４１を介して前記スイッチング部材２１０の一端と連結される。また、前記コイル電極１２０の一端はビア（不図示）を介して前記第２外部電極１５０と連結され、前記コイル電極１２０の他端は前記コイル電極１２０の他端から延長形成された第２リード線１２１を介して前記スイッチング部材２１０と連結される。
【００３７】
これを前記スイッチング部材２１０を基準としてさらに説明すると、前記スイッチング部材２１０の一端は、前記第１外部電極１４０から延長形成された前記第１リード線１４１の端部１４１ａと連結され、前記スイッチング部材２１０は、前記コイル電極１２０の他端から延長形成された第２リード線１２１の端部１２１ａと連結される。
【００３８】
従って、一端がビア（不図示）を介して前記第２外部電極１５０と直接連結された前記コイル電極１２０は、その他端から延長形成された前記第２リード線１２１、特定部位（具体的には中央部）が前記第２リード線１２１の端部１２１ａと連結される前記スイッチング部材２１０、端部１４１ａが前記スイッチング部材２１０の一端と連結される前記第１リード線１４１を介して前記第１外部電極１４０と電気的に接続する。
【００３９】
このような構造により、前記第１外部電極１４０から入力される正常信号による電流（以下、信号電流）は、まず、前記第１リード線１４１を介して前記スイッチング部材２１０に流入され、これはさらに前記第２リード線１２１を介して前記コイル電極１２０の内部を流れる。
【００４０】
図６はサージ電流の印加時における前記スイッチング部材２１０の動作状態を説明するための図面であり、図２の断面を基準として図３及び図４の断面を投影して、前記ＥＳＤ保護層２００のみを拡大して図示した。
【００４１】
図１から図６を参照して、サージ電流の印加時に変化する本発明の内部構造について説明すると、静電気放電（ＥＳＤ）によって前記第１外部電極１４０にサージ電流が印加されると、前記スイッチング部材２１０は、スイッチング動作に応じて前記コイル電極１２０との連結が断たれ、前記接地電極１６０と連結される。
【００４２】
より具体的には、サージ電流の印加時、前記接地電極１６０は前記接地電極１６０から延長形成された第３リード線１６１を介して前記スイッチング部材２１０と連結される。
【００４３】
即ち、前記スイッチング部材２１０の隣接付近には前記第３リード線１６１の端部１６１ａが位置している。従って、サージ電流が印加されると、前記スイッチング部材２１０は、スイッチング動作に応じてその特定部位（具体的には中央部）と前記第２リード線１２１の端部１２１ａとの連結が断たれ、前記第３リード線１６１の端部１６１ａと連結されることにより、前記接地電極１６０と電気的に接続することになる。このような前記スイッチング部材２１０のスイッチング動作については後述する。
【００４４】
以下、前記ＥＳＤ保護層２００の内部構造について詳細に説明する。
【００４５】
前記ＥＳＤ保護層２００は、その内部が空き空間に形成されており、内壁は絶縁材質、例えばセラミックで構成される。前記ＥＳＤ保護層２００の内壁には各電極から延長形成されたそれぞれのリード線が埋め込まれている。
【００４６】
例えば、前記第１リード線１４１は、前記絶縁層１３０を貫通して前記ＥＳＤ保護層２００の内壁に埋め込まれる。これは、本発明の例示のように前記絶縁層１３０の上面に前記第１外部電極１４０が形成され、前記絶縁層１３０の下部にＥＳＤ保護層２００が位置した場合の構造であるため、図面上の例示と異なって、前記第１外部電極１４０が絶縁層１３０の側面に位置したり前記ＥＳＤ保護層２００が絶縁層１３０の上部に位置する場合、前記第１リード線１４１は、前記絶縁層１３０を貫通せずに前記ＥＳＤ保護層２００の内壁に埋め込まれることもできる。
【００４７】
また、前記第２リード線１２１は、前記絶縁層１３０の内部に備えられた前記コイル電極１２０から延長形成されているため、前記絶縁層１３０を貫通してＥＳＤ保護層２００の内壁に埋め込まれており、前記第３リード線１６１は前記第１リード線１４１と同様に、前記絶縁層１３０を貫通して前記ＥＳＤ保護層２００の内壁に埋め込まれることができる。
【００４８】
前記スイッチング部材２１０は、その両端が前記ＥＳＤ保護層２００の内部の空き空間に突出形成された支持部２２０上に固定され、前記ＥＳＤ保護層２００の内部の空き空間内で一定の高さ、即ち、前記支持部２２０の厚さに対応する高さに位置するように設けられることができる。
【００４９】
前記支持部２２０は、絶縁材質、具体的にはセラミック材質で構成されて、前記ＥＳＤ保護層２００と一体に形成されることができる。このような構造により、前記第１リード線１４１の端部１４１ａは前記支持部２２０のうち何れか一つの内部に埋め込まれて前記スイッチング部材２１０と連結される。
【００５０】
図７は前記スイッチング部材２１０の断面図であり、図８は前記スイッチング部材２１０の横断面図である。図７及び図８を参照して前記スイッチング部材２１０の構造についてより詳細に説明すると、前記スイッチング部材２１０は、導体磁性膜２１１と、前記導体磁性膜２１１の両端を繋ぐ信号ライン２１２と、前記導体磁性膜２１１及び信号ライン２１２をくるむポリマー弾性体２１３と、で構成されることができる。
【００５１】
前記導体磁性膜２１１は、例えば、ニッケル（Ｎｉ）、鉄（Ｆｅ）、コバルト（Ｃｏ）などの磁性物質からなり、これによってサージ電流の印加時に一定曲率を有して垂直方向に曲げられる。
【００５２】
このような前記導体磁性膜２１１の動作は、磁場内の導体に電流が流れる時に発生する電磁気力の原理を利用したものであり、前記ＥＳＤ保護層２００は、前記導体磁性膜２１１の周囲に磁場を形成する永久磁性体（図２の２３０）を含むことができる。電磁気力の大きさは導体と磁場が９０度になる時に最も大きいため、前記永久磁性体２３０は、前記ＥＳＤ保護層２００の内壁に前記スイッチング部材２１０と平行に配置されるように埋め込まれることができる。
【００５３】
前記スイッチング部材のスイッチング動作について詳細に説明すると、前記永久磁性体２３０によって前記導体磁性膜２１１の周囲に磁場が形成されている状態で、静電気放電（ＥＳＤ）によるサージ電流が前記第１外部電極から流入されると、前記導体磁性膜に下方から上方への電磁気力が加えられて、前記導体磁性膜が上方に曲げられる。これにより、一定の弾性力を有する前記ポリマー弾性体もともに曲げられ、結局図６のように、前記スイッチング部材の特定部位（具体的には中央部）は、前記第２リード線１２１の端部１２１ａとの連結が断たれ、前記第３リード線１６１の端部１６１ａと連結される。
【００５４】
一方、前記導体磁性膜２１１の駆動電流の大きさは、前記導体磁性膜２１１の厚さ、長さ、幅及び磁性成分の種類や混合率などによって変わるため、コモンモードフィルタの種類に応じてこれらを適切に調節して前記導体磁性膜２１１の駆動電流を設計することが好ましい。同様に、前記ポリマー弾性体２１３は、その構成材質の種類及び厚さ、長さ、幅などを調節して、前記導体磁性膜２１１の曲がりに対応する弾性力を有するようにすることが好ましい。
【００５５】
前記ポリマー弾性体２１３の上側及び下側には金属成分の突出端子２１４が形成されることができる。前記突出端子２１４は、前記ポリマー弾性体２１３の内部を貫通して前記信号ライン２１２と連結された構造を有する。これにより、上述したように前記第１リード線１４１の端部１４１ａは前記スイッチング部材２１０、具体的に前記信号ライン２１２と連結されているため、前記第１外部電極１４０から印加される信号電流は、前記第１リード線１４１、信号ライン２１２、突出端子２１４、及び前記第２リード線１２１を順に通過して前記コイル電極１２０の内部を流れる。
【００５６】
また、静電気放電（ＥＳＤ）によるサージ電流の流入によって前記導体磁性膜２１１が曲げられると、前記突出端子２１４は、前記第２リード線１２１との接触が断たれ、前記第３リード線１６１の端部１６１ａと接触することになる。従って、前記第１外部電極１４０から印加されるサージ電流は、前記第１リード線１４１、信号ライン２１２、突出端子２１４、及び前記第３リード線１６１を順に通過して前記接地電極１６０に通り抜けることになる。
【００５７】
前記スイッチング部材２１０と前記第２リード線１２１との間の他の接触方式として、前記第２リード線１２１の端部１２１ａは、前記ＥＳＤ保護層２００の内部の空き空間に突出されて形成された端子で構成されることができ、これにより、前記スイッチング部材２１０と接触することができる。
【００５８】
または、上述したように前記スイッチング部材２１０に前記突出端子２１４が形成され、前記ＥＳＤ保護層２００の内部の空き空間に突出されて形成された端子で構成された第２リード線１２１の端部１２１ａが前記突出端子２１４と接触することもできる。
【００５９】
前記スイッチング部材２１０と前記第３リード線１６１との間の接触方式も、前記ＥＳＤ保護層２００の内部の空き空間に突出されて形成された端子で構成された前記第３リード線１６１の端部１６１ａが前記スイッチング部材２１０と接触することができる。または、上述したように前記スイッチング部材２１０に前記突出端子２１４が形成され、前記ＥＳＤ保護層２００の内部の空き空間に突出されて形成された端子で構成された第３リード線１６１の端部１６１ａが前記突出端子２１４と接触することもできる。または、前記第２リード線１２１の端部１２１ａまたは第３リード線の端部１６１ａが前記ＥＳＤ保護層２００の内部の空き空間に突出されて形成された端子で構成されておらず、前記スイッチング部材２１０に前記突出端子２１４が形成されていないとしても、前記導体磁性膜２１１が十分に曲がって前記ＥＳＤ保護層２００の内部の空き空間に露出される前記第２リード線１２１の端部１２１ａまたは第３リード線の端部１６１ａと接触されることもできる。
【００６０】
このように本発明によるコモンモードフィルタは、誘電体の電子トンネリング現象を利用せず、電磁気力を用いたスイッチング動作に応じて内部連結構造を変化させることにより、サージ電流がコイル電極に流れることを構造的に遮断することができる。
【００６１】
以上の詳細な説明は本発明を例示するものである。また、上述の内容は本発明の好ましい実施形態を示して説明するものに過ぎず、本発明は多様な他の組合、変更及び環境で用いることができる。即ち、本明細書に開示された発明の概念の範囲、述べた開示内容と均等な範囲及び／または当業界の技術または知識の範囲内で変更または修正が可能である。上述の実施形態は本発明を実施するにおいて最善の状態を説明するためのものであり、本発明のような他の発明を用いるにおいて当業界に公知された他の状態での実施、そして発明の具体的な適用分野及び用途で要求される多様な変更も可能である。従って、以上の発明の詳細な説明は開示された実施状態に本発明を制限しようとする意図ではない。また、添付された請求範囲は他の実施状態も含むと解釈されるべきであろう。
【符号の説明】
【００６２】
１００  本体
１１０  上部コイル電極
１２０  下部コイル電極
１２１  第２リード線
１３０  絶縁層
１４０  第１外部電極
１４１  第１リード線
１５０  第２外部電極
１６０  接地電極
１６１  第３リード線
１７０  磁性複合体
２００  ＥＳＤ保護層
２１０  スイッチング部材
２１１  導体磁性膜
２１２  信号ライン
２１３  ポリマー弾性体
２１４  突出端子
２２０  支持部
３００  磁性体基板
【図１】
2014116584.tif 000003
【図２】
2014116584.tif 000004
【図３】
2014116584.tif 000005
【図４】
2014116584.tif 000006
【図５】
2014116584.tif 000007
【図６】
2014116584.tif 000008
【図７】
2014116584.tif 000009
【図８】
2014116584.tif 000010